(57)【要約】  １５５から３００の間のＶＩ、６８０分超のＲＰＶＯＴ、及び４０℃で１９．８ｃＳｔから７４８ｃＳｔの動粘度を有する、無灰作動液又は抄紙機用油。高ＶＩ及び高ＲＰＶＯＴを有する無灰作動液又は抄紙機用油は、ａ）ある一連の数の炭素原子と、定められたシクロパラフィン組成物又は低トラクション係数を有する、グループＩＩＩ基油、ｂ）無灰酸化防止添加剤濃縮物、及びｃ）少量のＶＩ向上剤を含む。無灰作動液又は抄紙機用油を作製するための方法は、ａ）水素異性化脱ろうを行うステップと、ｂ）分留するステップと、ｃ）高ＶＩ、高レベルのシクロパラフィン官能基を有する分子、又は低トラクション係数を有する画分を選択するステップと、ｄ）画分を無灰酸化防止剤とブレンドするステップとを含む。また、無灰作動液又は抄紙機用油の酸化安定性を改善する方法も同様である。【特許請求の範囲】
【請求項１】
飽和化合物を９０重量％超、芳香族を１０重量％未満、基油粘度指数１２０超、硫黄を０．０３重量％未満、及びある一連の数の炭素原子を有する基油を含む無灰潤滑油であって、
ａ．１５５から３００の間の潤滑油粘度指数と、
ｂ．１５０℃での、ＡＳＴＭ  Ｄ  ２２７２−０２による回転圧力容器酸化試験における、６８０分超の結果と、
ｃ．１９．８ｃＳｔから７４８ｃＳｔの、４０℃での動粘度と
を有する、作動液又は抄紙機用油である無灰潤滑油。
【請求項２】
潤滑油の粘度が１６０から２５０の間である、請求項１に記載の無灰潤滑油。
【請求項３】
回転圧力容器酸化試験の結果が７００分超である、請求項１に記載の無灰潤滑油。
【請求項４】
回転圧力容器酸化試験の結果が８００分超である、請求項３に記載の無灰潤滑油。
【請求項５】
粘度グレードが、ＩＳＯ３２、ＩＳＯ４６、及びＩＳＯ６８からなる群から選択される、請求項１に記載の作動液。
【請求項６】
粘度グレードが、ＩＳＯ１００、ＩＳＯ１５０、ＩＳＯ２２０、ＩＳＯ３２０、及びＩＳＯ４６０からなる群から選択される、請求項１に記載の抄紙機用油。
【請求項７】
５０℃で、０．８分未満のＡＳＴＭ  Ｄ  ３４２７−０３による空気放出をさらに有する、請求項１に記載の無灰潤滑油。
【請求項８】
ＡＳＴＭ  Ｄ  ６６５−０３による手順Ｂ錆試験における合格結果をさらに有する、請求項１に記載の無灰潤滑油。
【請求項９】
基油がフィッシャー−トロプシュ由来である、請求項１に記載の無灰潤滑油。
【請求項１０】
１００００時間超のＴＯＳＴ結果を有する、請求項１に記載の無灰潤滑油。
【請求項１１】
ａ．ｉ．飽和化合物を９０重量％超、
ｉｉ．芳香族を１０重量％未満、
ｉｉｉ．粘度指数１２０超、
ｉｖ．硫黄を０．０３重量％未満、
ｖ．ある一連の数の炭素原子、及び
ｖｉ．シクロパラフィン官能基を有する分子総量を３５重量％超、又は１５ｃＳｔの動粘度及び４０％のスライド対ロール比で測定したときに０．０２１又はそれ未満のトラクション係数
を有する基油、
ｂ．無灰酸化防止添加剤濃縮物、及び
ｃ．全潤滑油に対して０．５重量％未満の粘度指数向上剤
を含み、１５５超の潤滑油粘度指数を有し、１５０℃でのＡＳＴＭ  Ｄ  ２２７２−０２による回転圧力容器酸化試験で６００分超の結果を有する、無灰作動液又は無灰抄紙機用油。
【請求項１２】
基油が、ｎ−パラフィンを６０重量％超、窒素及び硫黄を合わせて２５ｐｐｍ未満有するろう様供給原料に由来するものである、請求項１１に記載の無灰作動液又は無灰抄紙機用油。
【請求項１３】
基油が、シクロパラフィン官能基を有する分子総量を４０重量％超有する、請求項１１に記載の無灰作動液又は無灰抄紙機用油。
【請求項１４】
基油がフィッシャー−トロプシュ由来である、請求項１１に記載の無灰作動液又は無灰抄紙機用油。
【請求項１５】
基油が、動粘度１５ｃＳｔ及びスライド対ロール比４０％で測定したときに０．０２１又はそれ未満のトラクション係数を有する、請求項１１に記載の無灰作動液又は無灰抄紙機用油。
【請求項１６】
潤滑油が１６０超の潤滑油粘度指数を有する、請求項１１に記載の無灰作動液又は無灰抄紙機用油。
【請求項１７】
回転圧力容器酸化試験の結果が７００分超である、請求項１１に記載の無灰作動液又は無灰抄紙機用油。
【請求項１８】
回転圧力容器酸化試験の結果が８００分超である、請求項１７に記載の無灰作動液又は無灰抄紙機用油。
【請求項１９】
１００００時間超のＴＯＳＴ結果を有する、請求項１１に記載の無灰作動液又は無灰抄紙機用油。
【請求項２０】
ＩＳＯ２２、ＩＳＯ３２、ＩＳＯ４６、ＩＳＯ６８、及びＩＳＯ１００からなる群から選択される、請求項１１に記載の無灰作動液又は無灰抄紙機用油。
【請求項２１】
ＩＳＯ３２、ＩＳＯ４６、及びＩＳＯ６８からなる群から選択される、請求項２０に記載の無灰作動液又は無灰抄紙機用油。
【請求項２２】
ＩＳＯ１００、ＩＳＯ１５０、ＩＳＯ２２０、ＩＳＯ３２０、及びＩＳＯ４６０からなる群から選択される、請求項１１に記載の無灰作動液又は無灰抄紙機用油。
【請求項２３】
潤滑油が、５０℃で、０．８分未満のＡＳＴＭ  Ｄ  ３４２７−０３による空気放出をさらに有する、請求項１１に記載の無灰作動液又は無灰抄紙機用油。
【請求項２４】
無灰酸化防止添加剤濃縮物が、ヒンダードフェノール、ジフェニルアミン、又はこれらの混合物を含む、請求項１１に記載の無灰作動液又は無灰抄紙機用油。
【請求項２５】
無灰酸化防止添加剤濃縮物が、無灰耐摩耗添加剤パッケージの成分である、請求項１１に記載の無灰作動液又は無灰抄紙機用油。
【請求項２６】
ａ．ｉ．飽和化合物を９０重量％超、
ｉｉ．芳香族を１０重量％未満、
ｉｉｉ．硫黄を０．０３重量％未満、
ｉｖ．ある一連の数の炭素原子、
ｖ．シクロパラフィン官能基を有する分子総量を３５重量％超、又は１５ｃＳｔの動粘度及び４０％のスライド対ロール比で測定したときの０．０２１又はそれ未満のトラクション係数、及び
ｖｉ．基油粘度指数１５０超
を有する基油を、全潤滑油に対して１から９９．８重量％の間、
ｂ．無灰酸化防止添加剤濃縮物を、全潤滑油に対して０．０５から５重量％の間、及び
ｃ．粘度指数向上剤を、全潤滑油に対して０．５重量％未満
含み、ｉ．１５５超の潤滑油粘度指数、及び
ｉｉ．１５０℃でのＡＳＴＭ  Ｄ  ２２７２−０２による回転圧力容器酸化試験で６００分超の結果を有する、無灰作動液又は無灰抄紙機用油。
【請求項２７】
基油が、芳香族を０．０５重量％未満、及びオレフィンを５重量％未満有する、請求項２６に記載の無灰作動液又は無灰抄紙機用油。
【請求項２８】
基油が、芳香族を０．０５重量％未満、及びオレフィンを１重量％未満有する、請求項２６に記載の無灰作動液又は無灰抄紙機用油。
【請求項２９】
基油が、２．１超のモノシクロパラフィン官能基を有する分子対マルチシクロパラフィン官能基を有する分子の比をさらに有する、請求項２６に記載の無灰作動液又は無灰抄紙機用油。
【請求項３０】
トラクション係数が、１５ｃＳｔの動粘度及び４０％のスライド対ロール比で測定したときに０．０１９又はそれ未満である、請求項２６に記載の無灰作動液又は無灰抄紙機用油。
【請求項３１】
無灰酸化防止添加剤濃縮物が、ヒンダードフェノール、ジフェニルアミン、又はこれらの混合物を含む、請求項２６に記載の無灰作動液又は無灰抄紙機用油。
【請求項３２】
無灰耐摩耗添加剤濃縮物が、無灰耐摩耗添加剤パッケージの成分である、請求項２６に記載の無灰作動液又は無灰抄紙機用油。
【請求項３３】
ａ．ｎ−パラフィンを６０重量％超、窒素及び硫黄を合わせて合計２５ｐｐｍ未満有するろう様供給原料を、水素異性化脱ろうして、飽和化合物を９０重量％超、芳香族を１０重量％未満、基油粘度指数１２０超、硫黄０．０３重量％未満、及びある一連の数の炭素原子を有する基油を作製するステップと、
ｂ．前記基油を、種々の粘度グレードの基油に分留するステップと、
ｃ．ｉ．基油の粘度指数が１５０超であり、且つ
ｉｉ．シクロパラフィン官能基を有する分子総量が３５重量％超であり、又はトラクション係数が０．０２１又はそれ未満である、前記種々の粘度グレードの基油の１種又は複数を選択するステップと、
ｄ．前記種々の粘度グレードの基油の選択された１種又は複数を、無灰酸化防止添加剤濃縮物とブレンドして、無灰作動液又は無灰抄紙機用油を作製するステップと
を含み、無灰作動液又は無灰抄紙機用油が、１５５から３００の間の粘度指数、及び１５０℃でのＡＳＴＭ  Ｄ  ２２７２−０２による回転圧力容器酸化試験において６８０分超の結果を有する、高い酸化安定性を有する無灰作動液又は無灰抄紙機用油を作製するための方法。
【請求項３４】
種々の粘度グレードの基油の１種又は複数が、シクロパラフィン官能基を有する分子総量を４０重量％超有する、請求項３３に記載の方法。
【請求項３５】
種々の粘度グレードの基油の１種又は複数が、１５ｃＳｔの動粘度及び４０％のスライド対ロール比で測定したときに０．０１９又はそれ未満のトラクション係数を有する、請求項３３に記載の方法。
【請求項３６】
無灰作動液又は無灰抄紙機用油が、１５０℃でのＡＳＴＭ  Ｄ  ２２７２−０２による回転圧力容器酸化試験において、７００分超の結果を有する、請求項３３に記載の方法。
【請求項３７】
種々の粘度グレードの基油の１種又は複数が、４１時間超のオキシデーターＢＮを有する、請求項３３に記載の方法。
【請求項３８】
種々の粘度グレードの基油の１種又は複数が、２．１超のモノシクロパラフィン官能基を有する分子対マルチシクロパラフィン官能基を有する分子の比をさらに有する、請求項３３に記載の方法。
【請求項３９】
種々の粘度グレードの基油の１種又は複数が、基油流動因子よりも大きい流動点（℃）対動粘度（ｃＳｔ、１００℃）比をさらに有し、基油流動因子は、下記の方程式：
基油流動因子＝７．３５×Ｌｎ（１００℃での動粘度）−１８
によって計算される、請求項３３に記載の方法。
【請求項４０】
ａ．ｉ．飽和化合物を９０重量％超、
ｉｉ．芳香族を１０重量％未満、
ｉｉｉ．基油粘度指数１２０超、
ｉｖ．硫黄０．０３重量％未満、
ｖ．ある一連の数の炭素原子、
ｖｉ．シクロパラフィン官能基を有する分子総量を３５重量％超、又は動粘度１５ｃＳｔ及びスライド対ロール比４０％で測定したときの０．０２１又はそれ未満のトラクション係数、及び
ｖｉｉ．２．１超の、モノシクロパラフィン官能基を有する分子対マルチシクロパラフィン官能基を有する分子の比
を有する基油を選択するステップと、
ｂ．無灰作動液又は無灰抄紙機用油中の基油の一部を、前記選択された基油に置き換えて、改善された無灰潤滑油を生成するステップと
を含み、改善された無灰潤滑油が、１５０℃でのＡＳＴＭ  Ｄ  ２２７２−０２による回転圧力容器酸化試験において、無灰作動液又は無灰抄紙機用油の回転圧力容器酸化試験での結果よりも少なくとも５０分長いという結果を有する、無灰作動液又は無灰抄紙機用油の酸化安定性を改善するための方法。
【請求項４１】
基油が、ｎ−パラフィンを６０重量％超有するろう様供給原料に由来するものである、請求項４０に記載の方法。
【請求項４２】
ろう様供給原料がフィッシャー−トロプシュ由来である、請求項４０に記載の方法。
【請求項４３】
基油が、１５０超の基油粘度指数を有する、請求項４０に記載の方法。
【請求項４４】
基油が、１６０超の基油粘度指数を有する、請求項４３に記載の方法。
【請求項４５】
基油が、シクロパラフィン官能基を有する分子総量を７０重量％未満有する、請求項４０に記載の方法。
【請求項４６】
基油が、２５時間未満のオキシデーターＢＮを有する、請求項４０に記載の方法。
【請求項４７】
基油が、２５から６０時間の間のオキシデーターＢＮを有する、請求項４０に記載の方法。
【請求項４８】
基油が、芳香族を０．０５重量％未満有する、請求項４０に記載の方法。
【請求項４９】
基油が、１５ｃＳｔの動粘度及び４０％のスライド対ロール比で測定したときに、０．０１９又はそれ未満のトラクション係数を有する、請求項４０に記載の方法。
【請求項５０】
改善された無灰潤滑油が、５０℃で、０．８分未満のＡＳＴＭ  Ｄ  ３４２７−０３による空気放出をさらに有する、請求項４０に記載の方法。
【請求項５１】
無灰作動液又は無灰抄紙機用油中の基油の部分が、グループＩ、グループＩＩ、グループＩＩＩ、ポリαオレフィン、ポリ内部オレフィン、及びこれらの混合物からなる群から選択される、請求項４０に記載の方法。
【請求項５２】
改善された無灰潤滑油が、回転圧力容器酸化試験において、無灰作動液又は無灰抄紙機用油の回転圧力容器酸化試験の結果よりも少なくとも１００分長い結果を有する、請求項４０に記載の方法。
【請求項５３】
改善された無灰潤滑油が、無灰作動液又は無灰抄紙機用油の初期粘度指数よりも少なくとも２５高い、改善された粘度指数を有する、請求項４０に記載の方法。
【請求項５４】
改善された粘度指数が、無灰作動液又は無灰抄紙機用油の初期粘度指数よりも少なくとも５０高い、請求項５３に記載の方法。
【請求項５５】
無灰作動液又は無灰抄紙機用油と、改善された無灰潤滑油が、同じ重量％の無灰酸化防止添加剤濃縮物を含む、請求項４０に記載の方法。
【発明の詳細な説明】
【技術分野】
【０００１】
本発明は、高粘度指数及び優れた酸化安定性を有する無灰作動液及び無灰抄紙機用油と、優れた酸化安定性を有する無灰作動液及び無灰抄紙機用油を作製するためのプロセスと、無灰作動液又は無灰抄紙機用油の酸化安定性を改善するための方法とを対象とする。
【背景技術】
【０００２】
ＥｘｘｏｎＭｏｂｉｌのＷＯ００／１４１８３及び米国特許第６１０３０９９号は、６５０〜７５０°Ｆ＋炭化水素を含むろう様パラフィン系のフィッシャー−トロプシュ合成による炭化水素供給原料を、水素異性化させるステップを含む、イソパラフィン系潤滑油ベースストックを生成するためのプロセスについて教示しており、前記水素異性化は、少なくとも１種の潤滑添加剤と組み合わせたときに所望の仕様を満たす潤滑剤を形成することになる、前記ベースストックを含む６５０〜７５０°Ｆ＋水素異性化ベースストックを生成するのに十分な、前記６５０〜７５０°Ｆ＋供給原料炭化水素の変換レベルで実施された。作動油が特許請求の範囲に記載されているが、優れた酸化安定性を有する潤滑油の作製プロセス又は組成に関しては何も教示していない。
【０００３】
Ｃｏｎｏｃｏ  ＥＣＯＴＥＲＲＡ（商標）作動液は、高品質の水素化分解された基油と共に配合され、無灰で亜鉛を含まない耐摩耗添加剤パッケージにより強化される。これは、ＩＳＯ３２グレードが、１５０℃でのＡＳＴＭ  Ｄ  ２２７２による回転圧力容器酸化試験（ＲＰＶＯＴ）において７００分という結果を有するように、高酸化安定性を有する。ＩＳＯ４６グレードでは６８５分という結果であり、ＩＳＯ６８グレードでは６７５分という結果である。しかし、Ｃｏｎｏｃｏ  ＥＣＯＴＥＲＲＡ（商標）作動液は、約１０２又はそれ未満の低粘度指数を有する。
【０００４】
ＰｅｔｒｏＣａｎａｄａ  ＰＵＲＩＴＹ（商標）ＦＧ  ＡＷ作動液は、ＲＰＶＯＴの結果が８８４から８８８分の間であるが、やはり、約１０２又はそれ未満の粘度指数を有するだけである。
【０００５】
ＰｅｔｒｏＣａｎａｄａ  ＨＹＤＲＥＸ  ＳＵＰＲＥＭＥ（商標）は、ＲＰＶＯＴの結果が約１３００分であるＩＳＯ３２作動液である。ＨＹＤＲＥＸ  ＳＵＰＲＥＭＥ（商標）は、ＰｅｔｒｏＣａｎａｄａの商標である。この生成物中の基油は、高度に精製された無色透明の基油である。ＰｅｔｒｏＣａｎａｄａ  ＨＹＤＲＥＸ  ＳＵＰＲＥＭＥ（商標）作動液で使用される基油は、並外れて高い粘度指数を示しておらず、基油は限られた量で入手可能である。基油は、かなりの量の粘度指数向上剤とブレンドされて、約３５３の粘度指数を得る。さらに、高粘度指数及び良好な酸化安定性を有する作動液は、合成基油から作製されており、植物油から作製された高オレイン酸基油からも作製されている。しかし、これらのタイプの基油は高価であり、大量に入手できない。
【発明の開示】
【発明が解決しようとする課題】
【０００６】
高レベルの粘度指数向上剤を含まずに、飽和化合物を９０重量％超、芳香族を１０重量％未満、粘度指数１２０超、硫黄を０．０３重量％未満、及びある一連の数の炭素原子を有する基油を使用して作製された、優れた酸化安定性及び高粘度指数を有する潤滑油と、この潤滑油を作製するプロセスが望まれている。
【課題を解決するための手段】
【０００７】
本発明者等は、飽和化合物を９０重量％超、芳香族を１０重量％未満、基油粘度指数１２０超、硫黄を０．０３重量％未満、及びある一連の数の炭素原子を有する基油から作製された、無灰潤滑油であって、この潤滑油粘度指数が１５５から３００の間であり、ＡＳＴＭ  Ｄ  ２２７２−０２による回転圧力容器酸化試験の結果が６８０分超であり、４０℃での動粘度が１９．８ｃＳｔから７４８ｃＳｔであり、作動液又は抄紙機用油である無灰潤滑油を発見した。
【０００８】
本発明者等は、
ａ）飽和化合物を９０重量％超、芳香族を１０重量％未満、粘度指数１２０超、硫黄を０．０３重量％未満、ある一連の数の炭素原子、シクロパラフィン官能基を有する分子総量を３５重量％超、又は１５ｃＳｔの動粘度及び４０％のスライド対ロール比で測定したときに０．０２１又はそれ未満のトラクション係数を有する基油、
ｂ）無灰酸化防止添加剤濃縮物、及び
ｃ）全潤滑油に対して０．５重量％未満の粘度指数向上剤
を含む、無灰作動液又は無灰抄紙機用油であって、１５５超の粘度指数を有し、１５０℃でのＡＳＴＭ  Ｄ  ２２７２−０２による回転圧力容器酸化試験で６００分超の結果を有する、無灰作動液又は無灰抄紙機用油も発見した。
【０００９】
さらに、本発明者等は、
ａ）飽和化合物を９０重量％超、芳香族を１０重量％未満、基油粘度指数１５０超、硫黄を０．０３重量％未満、ある一連の数の炭素原子、及びシクロパラフィン官能基を有する分子総量を３５重量％超又は１５ｃＳｔの動粘度及び４０％のスライド対ロール比で測定したときに０．０２１又はそれ未満のトラクション係数、を有する基油を、全潤滑油に対して１から９９．８重量％の間、
ｂ）無灰酸化防止添加剤濃縮物を、全潤滑油に対して０．０５から５重量％の間、及び
ｃ）粘度指数向上剤を、全潤滑油に対して０．５重量％未満
含む、無灰作動液又は無灰抄紙機用油であって、１５５超の粘度指数を有し、１５０℃でのＡＳＴＭ  Ｄ  ２２７２−０２による回転圧力容器酸化試験で６００分超の結果を有する、無灰作動液又は無灰抄紙機用油を発見した。
【００１０】
本発明者等は、高酸化安定性を有する無灰作動液又は無灰抄紙機用油を作製するための方法も発明した。無灰作動液又は無灰抄紙機用油を作製するための方法は、
ａ）ｎ−パラフィンを６０重量％超、及び窒素及び硫黄を合わせて合計２５ｐｐｍ未満有するろう様供給原料を、水素異性化脱ろうして、飽和化合物を９０重量％超、芳香族を１０重量％未満、基油粘度指数１２０超、硫黄０．０３重量％未満、及びある一連の数の炭素原子を有する基油を作製するステップと、
ｂ）前記基油を、種々の粘度グレードの基油に分留するステップと、
ｃ）基油の粘度指数が１５０超であり、且つシクロパラフィン官能基を有する分子が３５重量％超であり、又はトラクション係数が０．０２１又はそれ未満である、前記種々の粘度グレードの基油の１種又は複数を選択するステップと、
ｄ）前記種々の粘度グレードの基油の選択された１種又は複数を、無灰酸化防止添加剤濃縮物とブレンドして、無灰作動液又は無灰抄紙機用油を作製するステップと
を含み、この無灰作動液又は無灰抄紙機用油は、その粘度指数が１５５から３００の間であり、１５０℃でのＡＳＴＭ  Ｄ  ２２７２−０２による回転圧力容器酸化試験において６８０分超という結果を有する。
【００１１】
本発明者等は、
ａ．飽和化合物を９０重量％超、芳香族を１０重量％未満、基油粘度指数１２０超、硫黄０．０３重量％未満、ある一連の数の炭素原子、シクロパラフィン官能基を有する分子総量を３５重量％超、又は動粘度１５ｃＳｔ及びスライド対ロール比４０％から６０％の間で測定したときに０．０２１又はそれ未満のトラクション係数を有し、モノシクロパラフィン官能基を有する分子とマルチシクロパラフィン官能基を有する分子との比が２．１超である基油を選択するステップと、
ｂ．無灰作動液又は無灰抄紙機用油中の基油の一部を、前記選択された基油に置き換えて、改善された無灰潤滑油を提供するステップと
を含む、無灰作動液又は無灰抄紙機用油の酸化安定性を改善するための新しい方法であって、この改善された無灰潤滑油が、１５０℃でのＡＳＴＭ  Ｄ  ２２７２−０２による回転圧力容器酸化試験において、無灰作動液又は無灰抄紙機用油の回転圧力容器酸化試験での結果よりも少なくとも５０分長いという結果を有する方法も開発した。
【発明を実施するための最良の形態】
【００１２】
優れた酸化安定性及び高粘度指数を有する作動液及び循環油が、非常に望まれている。優れた酸化安定性によって、油の寿命がより長くなり、油交換の間隔が長くなり、それによってダウンタイムコストが削減される。優れた酸化安定性によって、スラッジの蓄積も最小限に抑えられ、有害なワニスの堆積物が減少し、滑らかで信頼性ある操作が確実に行われる。
【００１３】
いくつかのタイプの作動液及び循環油装置は、極めて高い温度及び極めて低い温度条件下で動作する必要がある。広範な環境条件に適応させるには、高粘度指数を有する潤滑油が必要である。過去において、高粘度指数は、粘度指数（ＶＩ）向上剤を含めることによって実現された。より高い圧力を生み出すために、より小さい液圧ポンプがますます設計されるようになっている。より高い圧力はより高い温度を生み出し、潤滑油の酸化的分解反応が増大し、恐らくは潤滑油中の任意のＶＩ向上剤の剪断力がより大きくなる。
【００１４】
本発明の潤滑油は、１５５から３００の間の粘度指数を含む。粘度指数は、ＡＳＴＭ  Ｄ  ２２７０−０４によって測定される。一実施形態では、粘度指数は１６０から２５０の間である。高粘度指数は、潤滑油で使用されるグループＩＩＩ基油の高粘度指数に起因する。
【００１５】
本発明の潤滑油は、４０℃で１９．８ｃＳｔから７４８ｃＳｔの動粘度を含む。動粘度は、ＡＳＴＭ  Ｄ  ４４５−０４によって測定される。
【００１６】
グループＩＩＩ基油と比較した、完全配合潤滑油の酸化安定性を、ＡＳＴＭ  Ｄ  ２２７２−０２による回転圧力容器酸化試験（ＲＰＶＯＴ）を使用して測定する。この試験方法は、１５０℃で水及び銅触媒コイルの存在下、新しくまた使用中の完全配合潤滑油、及びその他の完成された潤滑油の酸化安定性を評価するために、酸素加圧容器を利用する。本発明の潤滑油は、６００分超、好ましくは６８０又は７００分超、より好ましくは８００分超、最も好ましくは９００分超というＲＰＶＯＴ結果を有する。
【００１７】
本発明の潤滑油の酸化安定性は、ＡＳＴＭ  Ｄ  ９４３−０４ａによる、タービン油安定性試験（ＴＯＳＴ）によって測定してもよい。ＴＯＳＴは、９５℃の浴中で、水、酸素、及び金属触媒の存在下、酸化及び酸形成に対する油の抵抗力を測定する。試験の終点は、油の酸価が２．０ｍｇ  ＫＯＨ／ｇ油に達したとき、又は試験の時間が１００００時間に達したときの、どちらか最初に達成されたときに決定される。ＴＯＳＴ結果は、時間で報告される。本発明の潤滑油のＴＯＳＴ結果は、好ましくは１００００時間超である。
【００１８】
好ましい実施形態において、本発明の潤滑油はさらに、５０℃で０．８分未満のＡＳＴＭ  Ｄ  ３４２７−０３による空気放出を含み、又はさらに、ＡＳＴＭ  Ｄ  ６６５−０３による手順Ｂ錆試験において、合格の結果を含む。
【００１９】
作動液：
亜鉛耐摩耗（ＡＷ）作動液パッケージを含有する本発明の作動液は、液圧ポンプを保護するために、主なポンプ製造業者の要件全てを満たすように設計された、特に優れた作動油である。油は、高酸化安定性を示し、従来の作動液よりも劇的に長い耐用寿命をもたらす。金属間接触は、全ての耐摩耗作動液により必要に応じて最小限に抑えられるように維持され、装置の寿命を延ばすのを助ける。これらの油は、羽根型、ピストン型、及びギア型のポンプで使用されるように設計され、液圧が１０００ｐｓｉを超えた場合に特にうまく機能する。
【００２０】
無灰耐摩耗添加剤パッケージを含有する本発明の作動液は、さらなるレベルの環境の安全を提供しつつ、従来の耐摩耗流体の性能要件を満たすように又は超えるように配合された、亜鉛を含まない油である。全てのグレードは、Ｄｅｎｉｓｏｎ  ＨＦ−０の要件を満たし、その一方で、ＩＳＯ３２及び４６は、Ｃｉｎｃｉｎｎａｔｉ  Ｍｉｌａｃｒｏｎ  Ｐ−６８及びＰ−７０の要件をそれぞれ満たす。ＩＳＯ６８は、Ｃｉｎｃｉｎｎａｔｉ  Ｍｉｌａｃｒｏｎ  Ｐ−６９の要件を満たす。ＩＳＯ４６は、可動式液圧システムに関してはＭ−２９５０−Ｓの、また工業用液圧システムに関してはＩ−２８６−Ｓのビッカース耐摩耗要件を満たす。Ｃｈｅｖｒｏｎ  Ｃｌａｒｉｔｙ作動油ＡＷは、もともと生分解性であり、ＥＰＡの急性水性毒性（ＬＣ−５０）試験に合格する。これらの油は、従来の作動液よりもかなり良好な酸化安定性を有する。
【００２１】
無灰耐摩耗添加剤パッケージを含有する本発明の作動液は、環境上影響を受けやすい領域での、可動式及び固定式液圧装置の羽根型、ピストン型、及びギア型のポンプに使用されるように設計される。これらは、アキシアルピストンポンプで見られるような５０００ｐｓｉを超える用途に、特に十分に適している。
【００２２】
循環油：
例えば、タービン油及び抄紙機用油は、一般的な種類の循環油に属する。錆及び酸化阻害（Ｒ＆Ｏ）、耐摩耗（ＡＷ）、及び極圧（ＥＰ）油は、全て循環油である。
【００２３】
本発明の循環油は、一実施形態では、ペーパーマシン循環システム、乾燥機ベアリング、及びカレンダースタックに非常に有用な抄紙機用油である。これらは、Ｖａｌｍｅｔ、Ｂｅｌｏｉｔ、及びＶｏｉｔｈ  Ｓｕｌｚｅｒを含めたペーパーマシンの装置製造業者の仕様を満たし、又は超えることが好ましい。
【００２４】
ＩＳＯ１５０、ＩＳＯ２２０、及びＩＳＯ３２０の粘度グレードを有する、亜鉛耐摩耗添加剤パッケージを含有する循環油は、密閉型ギアドライブ用に、それぞれＡＧＭＡ  Ｒ＆Ｏ油４、５、及び６として使用してもよい。ＩＳＯ２２０及び３２０の粘度グレードの、亜鉛耐摩耗添加剤パッケージを含有する循環油は、８０℃（１７５°Ｆ）程度の高い周囲温度で、滑り軸受け及び転がり軸受けに使用してもよい。
【００２５】
ＩＳＯ１００、ＩＳＯ１５０、ＩＳＯ２２０、ＩＳＯ３２０、及びＩＳＯ４６０の粘度グレードを有する、無灰耐摩耗添加剤パッケージを含有する本発明の循環油は、それぞれＡＧＭＡ  ３ＥＰ、４ＥＰ、５ＥＰ、６ＥＰ、及び７ＥＰ油として使用してもよい。これらは、バックサイドギア及び密閉型ギアドライブに適している。無灰耐摩耗添加剤パッケージを含有する本発明の循環油は、顕著な酸化安定性を示し、ギア油様のＥＰ特性をもたらす。これらは、Ｐａｌｌ濾過性試験によって実証されるように、優れた湿式濾過性も有する。無灰耐摩耗添加剤パッケージを含有する本発明の循環油は、ウェットエンドシステム、乾燥機ベアリング、及びカレンダースタックを含めたペーパーマシンの全ての循環システムにおける使用が推奨される。ＩＳＯ２２０及び３２０は、滑り軸受け及び転がり軸受けで使用してもよい。
【００２６】
タービン油：
タービン油は、Ｒ＆Ｏ又はＥＰタイプの循環油のいずれかのサブセットに属する。これらの優れた酸化安定性により、ほとんどのタービン油は高品質のＲ＆Ｏ油と見なされる。タービン油は、典型的には、４０℃で２８．８から１１０ｃＳｔの動粘度を有する。これらは通常、ＩＳＯ２２、ＩＳＯ３２、ＩＳＯ４６、ＩＳＯ６８、又はＩＳＯ１００の粘度グレードである。タービン油は、作動液及び抄紙機用油などのその他の循環油とは異なる添加剤パッケージを使用する。タービン油添加剤パッケージの全ては、酸化防止剤濃縮物を含む。使用するのに好ましいタービン油添加剤パッケージは、グループＩＩ及びグループＩＩＩの基油に合わせて最適化されたものである。タービン油添加剤パッケージは、Ｃｈｅｖｒｏｎ  Ｏｒｏｎｉｔｅ、Ｃｉｂａ  Ｓｐｅｃｉａｌｔｙ  Ｃｈｅｍｉｃａｌｓ、Ｌｕｂｒｉｚｏｌ、及びＩｎｆｉｎｅｕｍを含めた添加剤の製造業者から市販されている。タービンＯＥＭによれば、酸化安定性は、タービン油の最も重要な性質である。回転圧力容器酸化試験（ＡＳＴＭ  Ｄ  ２２７２−０２によるＲＶＰＯＴ）、及びタービン油安定性試験（ＡＳＴＭ  Ｄ  ９４３−０４ａによるＴＯＳＴ）は、タービン製造業者により引用される最も一般的な酸化試験である。本発明のタービン油は、グループＩＩの油で作製された初期のタービン油を超えた酸化安定性を有する。好ましい実施形態では、本発明のタービン油は、１５０℃でのＡＳＴＭ  Ｄ  ２２７２−０２による回転圧力容器酸化試験において、１３００分超という結果を有することになる。
【００２７】
グループＩ、ＩＩ、及びＩＩＩの基油：
グループＩ、ＩＩ、及びＩＩＩの基油は、ＡＰＩ  Ｐｕｂｌｉｃａｔｉｏｎ  １５０９に定義されている。この開示の文脈において、グループＩＩＩの基油は、飽和化合物を９０重量％超、芳香族を１０重量％未満、粘度指数１２０超、及び硫黄を０．０３重量％未満有する基油である。本発明の好ましいグループＩＩＩの基油は、ある一連の数の炭素原子も有する。グループＩＩＩの基油は、ＡＰＩ  Ｐｕｂｌｉｃａｔｉｏｎ  １５０９で個別に定義されているグループＩＶ及びグループＶの基油とは異なる。本発明の潤滑油に使用されるグループＩＩＩの基油は、ろう様供給原料から作製される。本発明の実施に有用なろう様供給原料は、一般に、ｎ−パラフィンを少なくとも４０重量％、好ましくはｎ−パラフィンを５０重量％超、より好ましくはｎ−パラフィンを６０重量％超含むことになる。ｎ−パラフィンの重量％は、参照により組み込まれる２００４年７月２２日出願の米国特許出願第１０／８９７９０６号に詳述されるように、典型的にはガスクロマトグラフィーによって決定される。ろう様供給原料は、例えばスラックワックスなどの従来の石油由来の供給原料でよく、又は例えば、フィッシャー−トロプシュ合成から調製された供給原料などの、合成供給原料から得てもよい。供給原料の大部分は、６５０°Ｆよりも高い温度で沸騰すべきである。好ましくは、供給原料の少なくとも８０重量％は６５０°Ｆよりも高い温度で沸騰することになり、最も好ましくは、少なくとも９０重量％が６５０°Ｆよりも高い温度で沸騰することになる。本発明の実施に際して使用される高度パラフィン系供給原料は、典型的には、０℃よりも高い初期流動点を有することになり、より一般的には１０℃よりも高い。
【００２８】
「フィッシャー−トロプシュ由来」又は「ＦＴ由来」という用語は、生成物、画分、又は供給原料が、フィッシャー−トロプシュ法から生じ又はこの方法のいくつかの段階で生成されることを意味する。フィッシャー−トロプシュ法のための供給原料は、天然ガス、石炭、シェール油、石油、都市ごみ、これらの誘導体、及びこれらの組合せを含めた、広く様々な炭化水素様供給源から得ることができる。
【００２９】
スラックワックスは、潤滑油画分の水素化分解によって又は溶媒精製によって、従来の石油由来供給原料から得ることができる。典型的には、スラックワックスは、これらのプロセスの１つによって調製された溶媒脱ろう供給原料から回収される。水素化分解は、窒素分も低い値に低下させることになるので、通常は水素化分解が好ましい。溶媒精製油から得られたスラックワックスによれば、脱油を使用して窒素分を低下させることができる。スラックワックスの水素処理は、窒素及び硫黄分を低下させるのに使用することができる。スラックワックスは、非常に高い粘度指数を有し、通常は、油分及びスラックワックスが調製される出発原料に応じて、約１４０から２００の範囲内である。したがって、スラックワックスは、非常に高い粘度指数を有するグループＩＩＩの調製に適している。
【００３０】
本発明に有用なろう様供給原料は、窒素及び硫黄を合わせて合計２５ｐｐｍ未満有することが好ましい。窒素分は、ろう様供給原料を融解し、その後、酸化燃焼及びＡＳＴＭ  Ｄ  ４６２９−９６による化学発光検出を行うことによって、測定される。試験方法は、本明細書に組み込まれる米国特許第６５０３９５６号に、さらに記載されている。硫黄は、ろう様供給原料を融解し、その後、ＡＳＴＭ  Ｄ  ５４５３−００による紫外線蛍光によって測定される。この試験方法は、本明細書に組み込まれる米国特許第６５０３９５６号にさらに記載される。
【００３１】
本発明に有用なろう様供給原料は、大規模なフィッシャー−トロプシュ合成法が生産に移されるので、近い将来、豊富になり且つ比較的費用競争力を有するようになると予測される。フィッシャー−トロプシュ法から調製された合成石油は、様々な固体、液体、及び気体の炭化水素の混合物を含む。潤滑基油の範囲内で沸騰するフィッシャー−トロプシュ生成物は、高い割合でワックスを含有し、そのためグループＩＩＩの基油に加工するための理想的な候補になる。したがって、フィッシャー−トロプシュワックスは、本発明の方法により高品質のグループＩＩＩ基油を調製するための、優れた供給原料である。フィッシャー−トロプシュワックスは、通常は室温で固体であり、その結果、流動点や曇点など、不十分な低温特性を示す。しかし、ワックスの水素異性化の後は、優れた低温特性を有するフィッシャー−トロプシュ由来のグループＩＩＩ基油を調製することができる。適切な水素異性化脱ろう法の概略的な説明は、本明細書に組み込まれる米国特許第５１３５６３８号及び第５２８２９５８号と、米国特許出願第２００５０１３３４０９号に見出すことができる。
【００３２】
水素異性化は、水素異性化条件下、異性化ゾーン内でろう様供給原料と水素異性化触媒とを接触させることにより、実現される。水素異性化触媒は、形状選択的中間細孔モレキュラーシーブ、貴金属水素化成分、及び耐火性酸化物担体を含むことが好ましい。形状選択的中間細孔モレキュラーシーブは、ＳＡＰＯ−１１、ＳＡＰＯ−３１、ＳＡＰＯ−４１、ＳＭ−３、ＺＳＭ−２２、ＺＳＭ−２３、ＺＳＭ−３５、ＺＳＭ−４８、ＺＳＭ−５７、ＳＳＺ−３２、オフレタイト、フェリエライト、及びこれらの組合せからなる群から選択することが好ましい。ＳＡＰＯ−１１、ＳＭ−３、ＳＳＺ−３２、ＺＳＭ−２３、及びこれらの組合せがより好ましい。貴金属水素化成分は、白金、パラジウム、又はこれらの組合せが好ましい。
【００３３】
水素異性化条件は、使用されるろう様供給原料、使用される水素異性化触媒、触媒が硫化処理されるか否か、グループＩＩＩ基油の所望の収量、及び所望の性質に左右される。本発明に有用な、好ましい水素異性化条件は、２６０℃から約４１３℃（５００から約７７５°Ｆ）の温度、１５から３０００ｐｓｉの全圧、及び約０．５から３０ＭＳＣＦ／ｂｂｌ、好ましくは約１から約１０ＭＳＣＦ／ｂｂｌ、より好ましくは約４から約８ＭＳＣＦ／ｂｂｌの水素対供給原料比を含む。一般に水素は、生成物から分離され、異性化ゾーンに再循環されることになる。
【００３４】
任意選択で、水素異性化脱ろうにより生成されたグループＩＩＩ基油を、水素化仕上げしてもよい。水素化仕上げは、グループＩＩＩ基油を１つ又は複数の画分に分画する前又は後に、１つ又は複数のステップで引き起こすことができる。水素化仕上げは、芳香族、オレフィン、着色体、及び溶媒を除去することによって、酸化安定性、ＵＶ安定性、及び生成物の外観を改善することを目的とする。水素化仕上げの概略的記述は、本明細書に組み込まれる米国特許第３８５２２０７号及び第４６７３４８７号に見出すことができる。水素化仕上げのステップは、グループＩＩＩ基油中のオレフィンを１０重量％未満に、好ましくは５重量％未満に、より好ましくは１重量％未満に、最も好ましくは０．５重量％未満に低下させるのに必要と考えられる。水素化仕上げのステップは、芳香族を０．１重量％未満に、好ましくは０．０５重量％未満に、より好ましくは０．０２重量％未満に、最も好ましくは０．０１重量％未満に低下させるのにも必要と考えられる。
【００３５】
グループＩＩＩ基油は、種々の粘度グレードの基油に分留される。この開示の文脈において、「種々の粘度グレードの基油」は、１００℃での動粘度が互いに少なくとも１．０ｃＳｔだけ異なる、２種以上の基油と定義される。動粘度は、ＡＳＴＭ  Ｄ  ４４５−０４を使用して測定される。分留は、事前に選択された沸騰範囲を有するカットを得るために、真空蒸留ユニットを使用して行われる。
【００３６】
グループＩＩＩ基油の画分は、典型的には０℃未満の流動点を有することになる。好ましくは流動点は、−１０℃未満である。さらに、いくつかの実施形態では、グループＩＩＩ基油画分の流動点は、方程式：基油流動因子＝７．３５×Ｌｎ（１００℃での動粘度）−１８によって定義される基油流動因子よりも大きい、基油流動点（℃）と１００℃での動粘度（ｃＳｔ）との比を有することになる。流動点は、ＡＳＴＭ  Ｄ  ５９５０−０２により測定される。
【００３７】
グループＩＩＩ基油の画分は、ＦＩＭＳによって測定される、測定可能な量の不飽和分子を有する。好ましい実施形態では、本発明の方法における水素異性化脱ろう及び分留条件は、シクロパラフィン官能基を有する分子総量を２０重量％超、好ましくは３５重量％超又は４０重量％超有し、且つ１５０超の粘度指数を有する基油の１種又は複数の選択画分が生成されるように調整される。グループＩＩＩ基油の１種又は複数の選択画分は、通常、シクロパラフィン官能基を有する分子総量を７０重量％未満有することになる。好ましくは、グループＩＩＩ基油の１種又は複数の選択画分は、さらに、モノシクロパラフィン官能基を有する分子とマルチシクロパラフィン官能基を有する分子との比が２．１超になる。好ましい実施形態では、マルチシクロパラフィン官能基を有する分子が存在しなくてもよく、したがって、モノシクロパラフィン官能基を有する分子とマルチシクロパラフィン官能基を有する分子との比は１００超になる。
【００３８】
本発明のグループＩＩＩ基油では、その大部分を、モノシクロパラフィン官能基を有するシクロパラフィン分子が占めることにより、優れた酸化安定性、低いノアク揮発度、並びに所望の添加剤溶解度及びエラストマー適合性が提供される。グループＩＩＩ基油の画分は、オレフィンを１０重量％未満、好ましくは５重量％未満、より好ましくは１重量％未満、最も好ましくは０．５重量％未満有する。グループＩＩＩ基油の画分は、芳香族を好ましくは０．１重量％未満、より好ましくは０．０５重量％未満、最も好ましくは０．０２重量％未満有する。
【００３９】
好ましい実施形態では、グループＩＩＩ基油の画分は、動粘度１５ｃＳｔ及びスライド対ロール比４０％で測定したときに、０．０２３未満のトラクション係数、好ましくは０．０２１又はそれ未満、より好ましくは０．０１９又はそれ未満のトラクション係数を有する。好ましくは、この画分は、方程式：トラクション係数＝０．００９×Ｌｎ（動粘度）−０．００１によって定義された量よりも少ないトラクション係数を有し、このとき、トラクション係数測定中の動粘度は２から５０ｃＳｔの間であり、またトラクション係数は、平均速度が秒当たり３ｍ、スライド対ロール比が４０％、及び負荷が２０Ｎで測定される。これらの好ましい基油画分の例は、２００４年４月２８日出願の米国特許公開番号ＵＳ２００５０２４１９９０Ａ１に教示される。
【００４０】
オレフィン及び芳香族分が、潤滑油の潤滑基油画分中で著しく少ない好ましい実施形態において、選択されたグループＩＩＩ基油画分のオキシデーターＢＮは、２５時間超になり、好ましくは３５時間超、より好ましくは４０時間超、又は４１時間にもなる。選択されたグループＩＩＩ基油画分のオキシデーターＢＮは、典型的には６０時間未満になる。オキシデーターＢＮは、グループＩＩＩ基油の酸化安定性を測定するのに都合の良い方法である。オキシデーターＢＮ試験は、Ｓｔａｎｇｅｌａｎｄ他によって米国特許第３８５２２０７号に記載されている。オキシデーターＢＮ試験は、Ｄｏｒｎｔｅ型酸素吸収装置を用いて、酸化に対する抵抗力を測定する。Ｒ．Ｗ．Ｄｏｒｎｔｅ「Ｏｘｉｄａｔｉｏｎ  ｏｆ  Ｗｈｉｔｅ  Ｏｉｌｓ」、Ｉｎｄｕｓｔｒｉａｌ  ａｎｄ  Ｅｎｇｉｎｅｅｒｉｎｇ  Ｃｈｅｍｉｓｔｒｙ、Ｖｏｌ．２８、第２６頁、１９３６年を参照されたい。通常、条件は、３４０°Ｆで純酸素が１気圧である。結果を、油１００ｇによりＯ２が１０００ｍｌ吸収されるまで、数時間の間に報告する。オキシデーターＢＮ試験では、触媒０．８ｍｌを油１００ｇ当たりで使用し、添加剤パッケージは、油中に含まれる。触媒は、ケロセンに可溶性金属ナフテネートを混合した混合物である。可溶性金属ナフテネートの混合物は、使用されるクランクケース油の平均的な金属分析をシミュレートする。触媒中の金属レベルは、下記の通りである、すなわち、銅＝６９２７ｐｐｍ、鉄＝４０８３ｐｐｍ、鉛＝８０２０８ｐｐｍ、マンガン＝３５０ｐｐｍ、スズ＝３５６５ｐｐｍ。添加剤パッケージは、油１００ｇ当たりビスポリプロピレンフェニルジチオリン酸亜鉛８０ミリモル、又はＯＬＯＡ  ２６０約１．１ｇである。オキシデーターＢＮ試験は、シミュレートされた用途における潤滑基油の応答を測定する。酸素１リットルを吸収するまでの高い値又は長い時間は、良好な酸化安定性を示す。
【００４１】
ＯＬＯＡは、Ｃｈｅｖｒｏｎ  Ｏｒｏｎｉｔｅの登録商標であるＯｒｏｎｉｔｅ  Ｌｕｂｒｉｃａｔｉｎｇ  Ｏｉｌ  Ａｄｄｉｔｉｖｅ（登録商標）の略語である。
【００４２】
本発明の潤滑油は、選択されたグループＩＩＩ基油画分を、全潤滑油に対して１から９９．８重量％含む。潤滑油中の、選択されたグループＩＩＩ基油の量は、１５重量％超になることが好ましい。本発明の潤滑油は、ＩＳＯ２２からＩＳＯ６８０までの粘度グレードを含む。ＩＳＯ粘度グレードは、ＡＳＴＭ  Ｄ  ２４２２−９７によって定義される（２００２年に再認可された）。
【００４３】
酸化防止添加剤濃縮物：
本発明の潤滑油は、酸化防止添加剤濃縮物を含む。酸化防止添加剤濃縮物は、潤滑油の酸化的分解反応の発生を最小限に抑え且つ遅延させるために存在する。好ましい実施形態では、本発明の酸化防止添加剤濃縮物は、１種又は複数のヒンダードフェノール酸化阻害剤を含んでよい。ヒンダードフェノール（フェノール系）酸化阻害剤の例には、２，６−ジ−ｔｅｒｔ−ブチルフェノール、４，４’−メチレン−ビス（２，６−ジ−ｔｅｒｔ−ブチルフェノール）、４，４’−ビス（２，６−ジ−ｔｅｒｔ−ブチルフェノール）、４，４’−ビス（２−メチル−６−ｔｅｒｔ−ブチルフェノール）、２，２’−メチレン−ビス（４−メチル−６−ｔｅｒｔ−ブチルフェノール）、４，４’−ブチリデン−ビス（３−メチル−６−ｔｅｒｔ−ブチルフェノール）、４，４’−イソプロピリデン−ビス（２，６−ジ−ｔｅｒｔ−ブチルフェノール）、２，２’−メチレン−ビス（４−メチル−６−ノニルフェノール）、２，２’−イソブチリデン−ビス（４，６−ジメチルフェノール）、２，２’−メチレン−ビス（４−メチル−６−シクロヘキシルフェノール）、２，６−ジ−ｔｅｒｔ−ブチル−４−メチルフェノール、２，６−ジ−ｔｅｒｔ−ブチル−４−エチルフェノール、２，４−ジメチル−６−ｔｅｒｔ−ブチル−フェノール、２，６−ジ−ｔｅｒｔ−ｌ−ジメチルアミノ−ｐ−クレゾール、２，６−ジ−ｔｅｒｔ−４−（Ｎ，Ｎ’−ジメチルアミノメチルフェノール）、４，４’−チオビス（２−メチル−６−ｔｅｒｔ−ブチルフェノール）、２，２’−チオビス（４−メチル−６−ｔｅｒｔ−ブチルフェノール）、ビス（３−メチル−４−ヒドロキシ−５−ｔｅｒｔ−ブチルベンジル）−スルフィド、及びビス（３，５−ジ−ｔｅｒｔ−ブチル−４−ヒドロキシベンジル）が含まれる。
【００４４】
酸化防止添加剤濃縮物の別の実施形態は、ＩＲＧＡＮＯＸ  Ｌ１１８（登録商標）として５４０  Ｗｈｉｔｅ  Ｐｌａｉｎｓ  Ｒｏａｄ、Ｔｅｒｒｙｔｏｗｎ、ＮＹ  １０５９１のＣｉｂａ  Ｓｐｅｃｉａｌｔｙ  Ｃｈｅｍｉｃａｌｓから市販されている酸化阻害剤、２−（４−ヒドロキシ−３，５−ジ−ｔ−ブチルベンジルチオール）アセテート、及びその他の酸化阻害剤を含む。
【００４５】
別の又はその他のタイプの酸化阻害剤を、酸化防止添加剤濃縮物使用してもよい。別の酸化阻害剤は、さらに、潤滑油が使用中に劣化する傾向を低減することができる。酸化防止添加剤濃縮物は、金属ジチオカルバメート（例えばジチオカルバミン酸亜鉛）、メチレンビス（ジブチルジチオカルバメート）、ジアルキルジチオリン酸亜鉛、及びジフェニルアミンなどの酸化阻害剤を含んでもよいが、これらを含有することに限定されない。ジフェニルアミン酸化阻害剤には、アルキル化ジフェニルアミン、フェニル−α−ナフチルアミン、及びアルキル化−α−ナフチルアミンが含まれるが、これらに限定するものではない。いくつかの配合物では、ジフェニルアミン及びヒンダードフェノール酸化阻害剤などの種々の酸化阻害剤の間で、相乗効果を観察することができる。
【００４６】
好ましい酸化防止添加剤濃縮物は、無灰であり、これは金属を含有しないことを意味する。無灰添加剤の使用により、堆積物の形成が減少し、環境パフォーマンスの利点を有する。潤滑油中の亜鉛含有添加剤の除去が、特に望ましい。
【００４７】
酸化防止添加剤濃縮物は、約０．０１重量％から約５重量％の量で、好ましくは約０．０５重量％から約５重量％、より好ましくは０．０５重量％から約２．０重量％、さらにより好ましくは約０．０５重量％から約１．０重量％の量で、本発明の潤滑油中に組み込むことができる。
【００４８】
粘度指数向上剤（ＶＩ向上剤）：
ＶＩ向上剤は、高温で希薄化する速度及び低温で濃厚になる速度を遅くすることによって、潤滑油の粘度特性を修正する。それによってＶＩ向上剤は、低温及び高温で高性能をもたらす。ＶＩ向上剤は、高応力領域での分子の剪断が原因で、典型的には機械的に分解する。液圧システムで発生した高圧により、流体は、１０７秒−１までの剪断速度に曝される。液圧剪断は、液圧システム内で流体温度の上昇を引き起こし、剪断は、永久的な粘性損失をもたらす可能性がある。
【００４９】
一般にＶＩ向上剤は、油溶性有機ポリマーであり、典型的にはオレフィンホモ若しくはコポリマー、又はその誘導体であり、その数平均分子量が約１５０００から１００万原子質量単位（ａｍｕ）のものである。ＶＩ向上剤は、一般に、約０．１から１０重量％の濃度で潤滑油に添加される。これは、この向上剤が低温よりも高温でさらに添加される潤滑油を濃くすることによって機能し、したがって、温度による潤滑油の粘度変化が、他の場合に見られる変化よりも一定に保たれる。温度による粘度の変化は、一般に、粘度指数（ＶＩ）によって表され、ＶＩが大きい（例えば１４０）油の粘度は、ＶＩが小さい（例えば９０）油の粘度よりも、温度に応じて変化し難い。
【００５０】
ＶＩ向上剤の主な種類には、メタクリル酸及びアクリル酸エステルのポリマー及びコポリマー、エチレン−プロピレンコポリマー、スチレン−ジエンコポリマー、及びポリイソブチレンが含まれる。ＶＩ向上剤は、残留オレフィンを除去するためにしばしば水素化される。ＶＩ向上剤の誘導体には、グラフト化スクシンイミド基などの極性官能基を含有する、分散性ＶＩ向上剤が含まれる。
【００５１】
本発明の潤滑油は、ＶＩ向上剤を０．５重量％未満、好ましくは０．４重量％未満、より好ましくは０．２重量％未満有する。潤滑油は、ＶＩ向上剤を全く含まないことが最も好ましい。
【００５２】
特定の分析試験方法：
オレフィンの重量％：
本発明のグループＩＩＩ基油中のオレフィンの重量％は、下記のステップＡ〜Ｄに従うプロトン−ＮＭＲによって決定される。
Ａ．重クロロホルム中の試験炭化水素が５〜１０％の溶液を調製する。
Ｂ．少なくとも１２ｐｐｍのスペクトル幅の、通常のプロトンスペクトルを獲得し、化学シフト（ｐｐｍ）軸を正確に参照する。機器は、レシーバ／ＡＤＣに負荷をかけ過ぎることなく、シグナルを獲得するのに十分な利得範囲を持たなければならない。３０度パルスを加えた場合、機器は、その最小シグナルデジタル化ダイナミックレンジが６５０００でなければならない。好ましくは、ダイナミックレンジは２６００００以上になる。
Ｃ．６．０〜４．５ｐｐｍ（オレフィン）、
２．２〜１．９ｐｐｍ（アリル）、
１．９〜０．５ｐｐｍ（飽和化合物）
の間で、積分強度を測定する。
Ｄ．ＡＳＴＭ  Ｄ  ２５０３によって決定された試験物質の分子量を使用して、下記の項目を計算する。
１．飽和炭化水素の平均分子式
２．オレフィンの平均分子式
３．全積分強度（＝全ての積分強度の合計）
４．試料水素当たりの積分強度（＝全積分値／式中の水素の数）
５．オレフィン水素の数（＝オレフィン積分値／水素当たりの積分値）
６．二重結合の数（＝オレフィン水素×オレフィンの式中の水素／２）
７．プロトンＮＭＲによるオレフィンの重量％＝１００×二重結合の数×典型的なオレフィン分子中の水素の数／典型的な試験物質分子中の水素の数
【００５３】
プロトンＮＭＲの計算手順Ｄによるオレフィンの重量％は、オレフィン％の結果が低い場合、即ち約１５重量％未満の場合、最も良く作用する。オレフィンは、「従来の」オレフィンでなければならず、即ち、α、ビニリデン、シス、トランス、及び三置換など、二重結合炭素に結合した水素を有するオレフィンタイプの分散された混合物である。これらのオレフィンタイプは、１から約２．５の間の検出可能なアリル対オレフィンの積分比を有することになる。この比が約３を超えた場合は、より高いパーセンテージの三又は四置換オレフィンが存在すること、及び試料中の二重結合の数を計算するために、種々の仮定がなされることを示す。
【００５４】
ＨＰＬＣ−ＵＶによる芳香族の測定：
本発明の潤滑油基油中の、少なくとも１個の芳香族官能基を有する低レベルの分子を測定するのに使用される方法は、ＨＰ  Ｃｈｅｍ−ステーションにインターフェース接続されたＨＰ  １０５０  ダイオード−アレイＵＶ−Ｖｉｓ検出器に連結されたＨｅｗｌｅｔｔ  Ｐａｃｋａｒｄ  １０５０シリーズ４液グラジエント高性能液体クロマトグラフィー（ＨＰＬＣ）システムを使用する。高度に飽和したグループＩＩＩ基油中の、個々の芳香族の種類の同定は、それらのＵＶスペクトルパターン及びそれらの溶出時間に基づいて行った。この分析に使用されるアミノカラムは、芳香族分子を、主としてそれらの環の数（又はより正確には、二重結合の数）に基づいて区別する。したがって、単環芳香族含有分子が最初に溶出され、その後、多環式芳香族が、分子当たりの二重結合の数が増加する順に溶出される。同様の二重結合の性質を有する芳香族の場合、環上でアルキル置換を有するもののみ、ナフタレン置換を有するものよりも速く溶出する。
【００５５】
様々な基油の芳香族炭化水素の、それらのＵＶ吸収スペクトルによる明確な同定は、それらのピーク電子遷移が、環系内のアルキル及びナフタレン置換の量に左右される程度まで、純粋モデル化合物類似体に対して全て赤方偏移したことを認めることによって実現された。これらの深色シフトは、芳香環の電子のアルキル基非局在化によって引き起こされることが周知である。いくつかの非置換芳香族化合物は潤滑範囲内で沸騰するので、ある程度の赤方偏移が、同定された主な芳香族基の全てに関して予測され、観察された。
【００５６】
溶出芳香族化合物の定量は、その芳香族に適切な保持時間ウィンドウ上で、それぞれの一般的な種類の化合物ごとに最適化された波長から作製された、クロマトグラムの積分によって行った。各芳香族の種類ごとの保持時間ウィンドウの限界は、それぞれの時間で溶出化合物の個々の吸収スペクトルを手作業で評価し、それらのモデル化合物吸収スペクトルとの定性的類似性に基づいて、適切な芳香族の種類に割り当てることによって決定した。ほとんど例外なく、５種類の芳香族化合物だけが、高度に飽和されたＡＰＩグループＩＩ及びＩＩＩ潤滑基油で観察された。
【００５７】
ＨＰＬＣ−ＵＶ較正：
非常に低いレベルであっても、これらの種類の化合物を同定するために、ＨＰＬＣ−ＵＶを使用する。多環芳香族は、典型的には単環芳香族よりも１０から２００倍強力に吸収する。アルキル置換も、約２０％だけ吸収に影響を与えた。したがって、芳香族の様々な種を分離し同定するのに、またそれらがどのように効率的に吸収するかを知るために、ＨＰＬＣを使用することが重要である。
【００５８】
５種類の芳香族化合物を同定した。最も高度に保持されたアルキル−１−環芳香族ナフタレンと、保持の程度が最も低いアルキルナフタレンとわずかな共通部分を例外として、芳香族化合物の全ての種類はベースライン分離された。２７２ｎｍでの同時溶出１−環及び２−環芳香族に関する積分限界は、垂直ドロップ法によって行った。それぞれ一般的な芳香族の種類に関する波長依存性応答因子を、置換芳香族類似体に最も近いスペクトルピーク吸光度に基づいて、純粋モデル化合物混合物からベールの法則のプロットを構成することによって最初に決定した。
【００５９】
例えば、基油中のアルキル−シクロヘキシルベンゼン分子は、２７２ｎｍで明らかに異なるピーク吸光度を示すが、これは、非置換テトラリンモデル化合物の場合に２６８ｎｍで生ずるものと同じ（禁制）遷移に相当する。基油試料中のアルキル−１−環芳香族ナフタレンの濃度は、その２７２ｎｍでのモル吸光率応答因子が、２６８ｎｍでのテトラリンのモル吸光率とほぼ同じであると仮定することによって、ベールの法則のプロットから計算した。芳香族の重量％濃度は、各芳香族の種類に関する平均分子量が、基油試料全体に関する平均分子量とほぼ同じであると仮定することによって計算した。
【００６０】
この較正方法は、徹底的なＨＰＬＣクロマトグラフィーを介して、潤滑基油から直接１−環芳香族を単離することにより、さらに改善された。これらの芳香族による直接的な較正は、モデル化合物に関連する仮定及び不確実性を排除した。予測した通りに、単離された芳香族試料は、より高度に置換されているので、モデル化合物よりも低い応答因子を有していた。
【００６１】
より具体的には、ＨＰＬＣ−ＵＶ法を正確に較正するために、Ｗａｔｅｒｓ半分取ＨＰＬＣユニットを使用して、潤滑基油の大部分から置換ベンゼン芳香族を分離した。試料１０ｇを、ｎ−ヘキサン中で１：１に希釈し、５ｃｍ×２２．４ｍｍ  ＩＤガードのアミノ結合シリカカラムに注入し、その後、８〜１２ミクロンのアミノ結合シリカ粒子の２つの２５ｃｍ×２２．４ｍｍ  ＩＤカラムであってＲａｉｎｉｎ  Ｉｎｓｔｒｕｍｅｎｔｓ、Ｅｍｅｒｙｖｉｌｌｅ、Ｃａｌｉｆｏｒｎｉａ製のものに注入し、このとき移動相として１８ｍｌ／分の流量のｎ−ヘキサンを用いた。カラム溶出剤は、２６５ｎｍ及び２９５ｎｍに設定された２波長ＵＶ検出器からの検出器応答に基づいて分画した。２６５ｎｍでの吸光度が、単環芳香族溶出の開始を知らせる０．０１吸光度単位の変化を示すまで、飽和画分を収集した。単環芳香族画分は、２６５ｎｍと２９５ｎｍとの間の吸光度比が２．０に低下するまで、即ち二環芳香族の溶出が示されるまで収集した。単環芳香族画分の精製及び分離は、単環芳香族画分を再びクロマトグラフィーにかけて、ＨＰＬＣカラムの過負荷から生じた「テーリング」飽和化合物から分離することによって行った。
【００６２】
この精製された芳香族「標準物質」は、アルキル置換によって、モル吸光率応答因子が非置換テトラリンに比べて約２０％だけ低下することを示した。
【００６３】
ＮＭＲによる芳香族の確認：
精製された単環芳香族標準物質中の少なくとも１個の芳香族官能基を有する全ての分子の重量％を、長期炭素１３ＮＭＲ分析を介して確認した。ＮＭＲは、単に芳香族炭素を測定しただけであり、その応答は、分析がなされる芳香族の種類に左右されないので、ＨＰＬＣ  ＵＶよりも較正するのが容易であった。ＮＭＲの結果は、高度に飽和した潤滑基油中の芳香族の９５〜９９％が単環芳香族であることを知ることによって、芳香族炭素％から芳香族分子％（ＨＰＬＣ−ＵＶ及びＤ２００７と一致）へと言い換えられた。
【００６４】
高出力、長時間、及び良好なベースライン分析は、０．２％の芳香族分子に至るまで、芳香族を正確に測定する必要があった。
【００６５】
より具体的には、ＮＭＲによって少なくとも１個の芳香族官能基を有する低レベルの全ての分子を正確に測定するために、最小炭素感度５００：１が得られるように標準的なＤ  ５２９２−９９法を修正した（ＡＳＴＭ標準技法Ｅ３８６による）。１０〜１２ｍｍのＮａｌｏｒａｃプローブを用いた４００〜５００ＭＨｚ  ＮＭＲ上での、１５時間の持続実験を使用した。Ａｃｏｒｎ  ＰＣ積分を使用して、ベースラインの形状を画定し、一貫して積分した。実験中に搬送周波数を１回変更して、脂肪族ピークから芳香族領域への画像形成からのアーチファクトが回避されるようにした。搬送周波数の両側でスペクトルを得ることにより、分解能が著しく改善された。
【００６６】
ＦＩＭＳによる分子組成物：
本発明の潤滑基油は、アルカン及び様々な数の不飽和を有する分子への、フィールドイオン化質量分析（ＦＩＭＳ）によって特徴付けられた。油画分中での分子の分布は、ＦＩＭＳによって決定した。試料を、固体プローブを介して、好ましくは試験がなされる基油の少量（約０．１ｍｇ）をガラス毛細管内に置くことによって、導入した。毛細管を、質量分析計の固体プローブの先端に配置し、このプローブを、約１０−６トルで動作する質量分析計内で、分当たり５０℃から１００℃の間の速度で、約４０〜５０℃から５００又は６００℃に至るまで加熱した。質量分析計を、１０当たり５秒の速度で、ｍ／ｚ４０からｍ／ｚ１０００でスキャンした。
【００６７】
使用された質量分析計は、Ｍｉｃｒｏｍａｓｓ時間飛行であった。全ての化合物タイプに関する応答因子は１．０と仮定され、その重量％は、領域％から決定された。獲得された質量スペクトルを合計して、１つの「平均化」スペクトルを生成した。
【００６８】
本発明の潤滑基油は、ＦＩＭＳによって、アルカン及び様々な数の不飽和分を有する分子に特徴付けた。様々な数の不飽和分を有する分子は、シクロパラフィン、オレフィン、及び芳香族を含む。芳香族が、潤滑基油中にかなりの量で存在する場合は、４−不飽和分としてＦＩＭＳ分析で同定することができる。オレフィンが、潤滑基油中にかなりの量で存在する場合は、１−不飽和分としてＦＩＭＳ分析で同定することができる。ＦＩＭＳ分析からの１−不飽和分、２−不飽和分、３−不飽和分、４−不飽和分、５−不飽和分、及び６−不飽和分の合計から、プロトンＮＭＲによるオレフィンの重量％を差し引き、ＨＰＬＣ−ＵＶによる芳香族の重量％を差し引いたものは、本発明の潤滑基油中のシクロパラフィン官能基を有する分子の全重量％である。芳香族分が測定されなかった場合は、０．１重量％未満と想定され、シクロパラフィン官能基を有する分子の全重量％の計算に含まれないことに留意されたい。
【００６９】
シクロパラフィン官能基を有する分子は、単環式又は縮合多環式飽和炭化水素基である任意の分子、又はそのような炭化水素基を１個又は複数の置換基として含有する任意の分子を意味する。シクロパラフィン基は、１個又は複数の置換基で、任意選択で置換されていてもよい。代表的な例には、シクロプロピル、シクロブチル、シクロペンチル、シクロヘキシル、シクロヘプチル、デカヒドロナフタレン、オクタヒドロペンタレン、（ペンタデカン−６−イル）シクロヘキサン、３，７，１０−トリシクロヘキシルペンタデカン、及びデカヒドロ−１−（ペンタデカン−６−イル）ナフタレンなどが含まれるが、これらに限定するものではない。
【００７０】
モノシクロパラフィン官能基を有する分子は、３から７個の環炭素の単環式飽和炭化水素基である任意の分子、又は３から７個の環炭素の１個の単環式飽和炭化水素基で置換された任意の分子を意味する。シクロパラフィン基は、１個又は複数の置換基で、任意選択で置換されていてもよい。代表的な例には、シクロプロピル、シクロブチル、シクロペンチル、シクロヘキシル、シクロヘプチル、及び（ペンタデカン−６−イル）シクロヘキサンなどが含まれるが、これらに限定するものではない。
【００７１】
マルチシクロパラフィン官能基を有する分子は、２個以上の縮合環の縮合多環式飽和炭化水素環基である任意の分子、２個以上の縮合環の１個若しくは複数の複合多環式飽和炭化水素環基で置換されている任意の分子、又は３から７個の環炭素の複数の単環式飽和炭化水素基で置換されている任意の分子を意味する。縮合多環式飽和炭化水素環基は、２個の縮合環のものが好ましい。シクロパラフィン基は、１個又は複数の置換基で、任意選択で置換されていてもよい。代表的な例には、デカヒドロナフタレン、オクタヒドロペンタレン、３，７，１０−トリシクロヘキシルペンタデカン、及びデカヒドロ−１−（ペンタデカン−６−イル）ナフタレンなどが含まれるが、これらに限定するものではない。
【００７２】
潤滑油の酸化安定性を改善する方法：
本発明者等は、潤滑油配合物中の当初の基油の一部を、本発明の所望の基油で置き換えることによって、潤滑油の酸化安定性を改善するための方法を発見した。本発明の所望の基油は、飽和化合物を９０重量％超、芳香族を１０重量％未満、粘度指数１２０超、硫黄を０．０３重量％未満、ある一連の数の炭素原子、シクロパラフィン官能基を有する分子総量を３５重量％超、及びモノシクロパラフィン官能基を有する分子とマルチシクロパラフィン官能基を有する分子との比２．１を有する。置き換えられる当初の基油は、グループＩ、グループＩＩ、その他のグループＩＩＩ、ポリαオレフィン、ポリ内部オレフィン、及びこれらの混合物の群から選択してもよい。その他のグループＩＩＩ基油の例は、Ｃｈｅｖｒｏｎ  ４Ｒ、Ｃｈｅｖｒｏｎ  ７Ｒ、ＥｘｘｏｎＭｏｂｉｌ  ＶＩＳＯＭ、Ｓｈｅｌｌ  ＸＨＶＩ  ４．０、Ｓｈｅｌｌ  ＸＨＶＩ  ５．２、Ｎｅｘｂａｓｅ  ３０４３、Ｎｅｘｂａｓｅ  ３０５０、Ｙｕｂａｓｅ  ４、Ｙｕｂａｓｅ  ６、及びＰｅｔｒｏＣａｎａｄａ  ４、６、及び８である。
【００７３】
当初の基油の一部が本発明の所望の基油で置き換えられる場合、ＲＰＶＯＴ試験の結果は、少なくとも２５分増大し、好ましくは少なくとも５０分、より好ましくは少なくとも１００分、最も好ましくは少なくとも１５０分増大する。さらに、粘度指数が増大してもよい。好ましくは、粘度指数は少なくとも１０だけ増大することになるが、少なくとも２５、又はさらに少なくとも５０だけ増大してもよい。好ましい実施形態では、潤滑油は、空気放出も改善することになり、５０℃で０．８分未満のＡＳＴＭ  Ｄ  ４３２７−０３による空気放出を有してもよい。
【００７４】
本発明の文脈において、当初の基油の一部とは、１から１００重量％の間、好ましくは２０から１００％の間、最も好ましくは５０重量％超である。
【実施例】
【００７５】
（例１）
水素処理したコバルトベースのフィッシャー−トロプシュワックスは、下記の性質を有していた。
【００７６】
【表１】
2009521571.tif 000002
【００７７】
２種の基油、ＦＴ−７．３及びＦＴ−１４は、目標の粘度にするために、水素処理したコバルトベースのフィッシャー−トロプシュワックスから、水素異性化脱ろう、水素仕上げ、分留、及びブレンドを行って作製した。基油は、表ＩＩに示される性質を有していた。
【００７８】
【表２】
2009521571.tif 000003
【００７９】
ＦＴ−１４は、本発明の潤滑油に有用な基油の例である。この基油は、シクロパラフィン官能基を有する分子総量を３５重量％超と、高い粘度指数を有する。
【００８０】
（例２）
ＦＴ−７．３及びＦＴ−１４を使用したＩＳＯ４６作動液の２種のブレンドを、商用の液体亜鉛耐摩耗（ＡＷ）作動液添加剤パッケージとブレンドした。作動液添加剤パッケージは、液体酸化防止添加剤濃縮物を、その他の添加剤と組み合わせて含んでいた。２種のブレンドのどちらにも、粘度指数向上剤を添加しなかった。これら２種の作動液ブレンドの配合を、表ＩＩＩにまとめる。
【００８１】
【表３】
2009521571.tif 000004
【００８２】
これら２種の異なる作動液ブレンドの性質を、表ＩＶに示す。
【００８３】
【表４】
2009521571.tif 000005
【００８４】
ＨＹＤＡ及びＨＹＤＢの両方は、非常に高い酸化安定性及び高いＶＩを有する本発明の潤滑油の例である。高いＶＩは、使用された基油の独自の品質により、いかなる粘度指数向上剤も含まずに実現された。ＲＰＶＯＴ試験による酸化安定性は、使用された基油が比較的高いオレフィン分を有し且つオキシデーターＢＮが２５時間未満であると考えられるほどに高かったことは、驚くべきことである。
【００８５】
（例３）
３種の比較用ブレンドを、粘度指数向上剤又はシール膨潤剤を添加し又は添加しない状態で従来のグループＩ又はグループＩＩの基油を使用して、また同じ商用の液体亜鉛ＡＷ作動液添加剤パッケージを実施例２で述べたブレンドとして使用して作製した。これら比較用のブレンドの配合物を、表Ｖにまとめる。
【００８６】
【表５】
2009521571.tif 000006
【００８７】
これら３種の異なる比較用作動液ブレンドの性質を、表ＶＩに示す。
【００８８】
【表６】
2009521571.tif 000007
【００８９】
異なる基油を使用して作製された、これら比較用の基油は、本発明の潤滑油の所望の高ＶＩ及び優れた酸化安定性を有していない。比較用ＨＹＤＥに粘度指数向上剤を添加したことによって粘度指数は向上したが、ＲＰＶＯＴは、依然として６００分を十分下回っていた。
【００９０】
比較用ＨＹＤＤで使用されたグループＩＩ基油を、本発明の好ましいグループＩＩＩ基油（ＨＹＤＢ参照）で置き換えることによって、本発明者等は、ＲＰＶＯＴ試験の結果を１００分よりも長く増やすことができたことに留意されたい。さらに、作動液の粘度指数は、いかなる粘度指数向上剤も添加することなく、５０よりも多く増大した。
【００９１】
（例４）
２種の基油、ＦＴ−７．６及びＦＴ−１３．１を、Ｌｕｘｃｏ  １６０石油ベースワックスとＭｏｏｒ  ＆  Ｍｕｎｇｅｒ  Ｃ８０  ＦｅベースＦＴワックスとの、５０／５０ミックスから作製した。ワックスの５０／５０ミックスは、ｎ−パラフィンを約６５．５重量％、窒素を約２ｐｐｍ、及び硫黄を４ｐｐｍ未満有していた。基油を作製するのに使用したプロセスは、水素異性化脱ろう、水素仕上げ、分留、及び目標粘度へのブレンドであった。基油は、表ＶＩＩに示される性質を有していた。
【００９２】
【表７】
2009521571.tif 000008
【００９３】
ＦＴ−７．６及びＦＴ−１３．１の両方は、本発明で使用される好ましい基油の例である。これらは共に、シクロパラフィン官能基を有する分子総量を３５重量％超、及び粘度指数１５０超を有する。これらは共に、ｎ−パラフィンを６０重量％超、窒素及び硫黄を合わせて２５ｐｐｍ未満を有するろう様供給原料から得られた。さらに、これら基油の両方は、非常に少ない芳香族及びオレフィンを有し、それが、より高い酸化安定性にも寄与していた。これらは共に、２５から６０時間の間のオキシデーターＢＮを有していた。ＦＴ−７．６は、１５０よりも高い粘度指数及び４５時間よりも長いオキシデーターＢＮを有するので、特に好ましいグループＩＩＩ基油である。これらの油の１種を、潤滑油配合物中で粘度指数が１３０未満のグループＩ、グループＩＩ、又はグループＩＩＩ基油の代わりに使用した場合、他のいかなる添加剤又は粘度指数向上剤も添加することなく、ＲＰＶＯＴの結果を１５０分超増大させることができ、粘度指数を５０超増大させることができた。
【００９４】
（例５）
ＦＴ−７．６及びＦＴ−１３．１を使用する、ＩＳＯ４６作動液（ＨＹＤＦ及びＨＹＤＧ）の２種のブレンド、及びＩＤＯ６８（ＨＹＤＨ）作動液の１種のブレンドを、例２及び３で使用したものと同じ商用の液体亜鉛ＡＷ作動液添加剤パッケージとブレンドした。これら３種のブレンドのいずれにも、粘度指数向上剤を添加しなかった。これら３種の作動液ブレンドの配合物を、表ＶＩＩにまとめる。
【００９５】
【表８】
2009521571.tif 000009
【００９６】
これら３種の異なる作動液ブレンドの性質を、表ＶＩＩＩに示す。
【００９７】
【表９】
2009521571.tif 000010
【００９８】
（例６）
ＦＴ−７．６及びＦＴ−１３．１を使用したＣｈｅｖｒｏｎ  Ｃｌａｒｉｔｙ（登録商標）合成作動液ＡＷ  ＩＳＯ４６のブレンドを、調製した（ＨＹＤＪ）。無灰耐摩耗添加剤パッケージを、このブレンドで使用した。無灰耐摩耗添加剤パッケージは、液体酸化防止添加剤濃縮物を約４６％含んでいた。液体酸化防止添加剤濃縮物は、ジフェニルアミンと高分子量ヒンダードフェノール酸化防止剤との混合物を含んでいた。粘度指数向上剤は、このブレンドには添加しなかった。Ｃｈｅｖｒｏｎ  ４Ｒ及びＣｈｅｖｒｏｎ  ７ＲのグループＩＩＩ基油と、粘度指数向上剤４．６重量％とを使用した、Ｃｈｅｖｒｏｎ  Ｃｌａｒｉｔｙ（登録商標）合成作動液ＡＷ  ＩＳＯ３２の比較用ブレンドも、調製した（比較ＨＹＤＫ）。Ｃｈｅｖｒｏｎ  ４Ｒ及びＣｈｅｖｒｏｎ  ７ＲのグループＩＩＩ基油は、典型的には、シクロパラフィン官能基を有する分子総量を約７５重量％超有する。本発明の作動液で使用された基油とは異なって、これらは共に、モノシクロパラフィン官能基を有する分子対マルチシクロパラフィン官能基を有する分子の比が、約２．１又はそれ未満である。これら２種の作動液ブレンドの配合物を、表ＩＸにまとめる。
【００９９】
Ｃｌａｒｉｔｙ（登録商標）は、Ｃｈｅｖｒｏｎ  Ｐｒｏｄｕｃｔｓ  Ｃｏｍｐａｎｙの登録商標である。
【０１００】
【表１０】
2009521571.tif 000011
【０１０１】
これら２種の異なる作動液ブレンドの性質を、表Ｘに示す。
【０１０２】
【表１１】
2009521571.tif 000012
【０１０３】
比較用ＨＹＤＫ作動液は、非常に良好なＲＰＶＯＴ結果を有するが、本発明の作動液で得られた結果よりも低く、ＨＹＤＪのＲＰＶＯＴよりも著しく低い。比較用ＨＹＤＫは、１５０よりも高い粘度指数を持たず、また、モノシクロパラフィン官能基を有する分子対マルチシクロパラフィン官能基を有する分子の好ましい比が本発明で使用される好ましい基油の場合の２．１よりも高くない基油（Ｃｈｅｖｒｏｎ  ４Ｒ／７ＲのグループＩＩＩ）を含んでいたことに留意されたい。比較用ＨＹＤＫは、１５５よりも高い粘度指数を実現するために、かなりの量の粘度指数向上剤も含んでいた。
【０１０４】
（例７）
Ｃｈｅｖｒｏｎ  Ｃｌａｒｉｔｙ（登録商標）合成抄紙機用油ＩＳＯ２２０のブレンドを、ポリαオレフィン基油の５０％超を表ＸＩに示される性質を有するＦＴ由来基油で置き換えることによって作製した。
【０１０５】
【表１２】
2009521571.tif 000013
＊トラクション係数は、動粘度１５ｃＳｔ及びスライド対ロール比４０％で測定した。加えられた負荷は２０Ｎであり、これはヘルツ圧力０．８３ＧＰａに相当する。
【０１０６】
当初の抄紙機用油と改善された抄紙機用油との両方は、同じ無灰対摩耗添加剤パッケージを含有する。無灰耐摩耗添加剤パッケージの成分は、酸化防止添加剤濃縮物である。抄紙機用油中の基油のかなりの部分を、ＦＴ由来基油Ａで置き換えることによって得られた改良抄紙機用油は、そのＡＳＴＭ  Ｄ  ２２７２−０２による回転圧力容器酸化試験の結果が６８０分より長く、これは、当初の抄紙機用油における結果（４７５分）よりも少なくとも２００分長いものである。
【０１０７】
本出願で引用された刊行物、特許、及び特許出願の全ては、あたかも個々の刊行物、特許出願、又は特許のそれぞれの開示の全体が参照により組み込まれるように具体的に且つ個々に示されるのと同じ程度まで、その全体が参照により本明細書に組み込まれる。
【０１０８】
上記にて開示された本発明の例示的な実施形態の多くの修正例は、当業者なら容易に思い浮かべるであろう。したがって本発明は、添付の特許請求の範囲に包含される全ての構造及び方法を含むと解釈すべきである。
【国際調査報告】
2009521571.tif 000014